(57)【要約】【課題】簡易に隣接して配置されるフロアパネル同士を電気接続させることのできるフロアパネルを提供する。【解決手段】導体６と絶縁体１５とが内部に配設されるパネル本体２０、４０、６０、３１０を備え、基礎床２上に配置されて部屋の床面を構築するフロアパネル１、１０４、２０４、３０４において、前記導体６を前記パネル本体２０、４０、６０、３１０の側面に露出させる。【選択図】図２
2010112089.tif 000002
【特許請求の範囲】
【請求項１】
導体と絶縁体とが内部に配設されるパネル本体を備え、基礎床上に配置されて部屋の床面を構築するフロアパネルであって、
前記導体を前記パネル本体の側面に露出させたことを特徴とするフロアパネル。
【請求項２】
前記パネル本体は、前記導体と前記絶縁体とを層状に重ね合わせることにより成型されることを特徴とする請求項１に記載のフロアパネル。
【請求項３】
前記パネル本体の導体は、前記床面を形成するように複数のパネル本体を配置させた際に、隣りに配置される他のパネル本体の導体に接触可能な突部を備えることを特徴とする請求項１または請求項２に記載のフロアパネル。
【請求項４】
前記パネル本体を、上下反転配置可能に形成するとともに、
当該パネル本体を上下に反転させて配置することで、当該パネル本体の導体と隣りに配置される他のパネル本体の導体との接触および非接触を切り替えるようにしたことを特徴とする請求項１〜３のうち何れか１項に記載のフロアパネル。
【発明の詳細な説明】
【技術分野】
【０００１】
本発明は、二重床構造で利用されるフロアパネルに関し、詳細には、配設工事と同時に電気配線工事も行うことのできるフロアパネルに関する。
【背景技術】
【０００２】
従来より、例えばオフィスなど屋内で多数の配線が張り巡らされるフロアでは、基礎となる床面の上側にフロアパネルを敷設して床を二重構造とし、当該フロアパネルと床面の間に一定の空間を形成して、その空間に多数の配線を配索できるようにしたフロアパネルシステムが採用されている。
【０００３】
このフロアパネルシステムでは、配線を前記した空間に収容することができるため、配線の保護や見栄えの向上を実現することができるという利点がある。
【０００４】
ところで、近年、このようなシステムが利用されるオフィス内では、間取りの変更やＯＡ機器等の配置換えが頻繁に行われるため、当該変更に対応させて工事業者が早急に配線工事を行うことのできるシステムの提供が待ち望まれていた。
【０００５】
そこで、特許文献１により、一方の端面にコンセントが設けられると共に他方の端面にプラグが設けられ、これらコンセント及びプラグを電気的に接続されるようにしたフロアパネルが提案されている。
【０００６】
このフロアパネルでは、当該フロアパネルを基礎床上に敷設する際に、これらフロアパネルが備えるプラグを隣接して配置される他のフロアパネルのコンセントに接続させることで、配設工事と同時に電気配線工事も行うことができる。
【特許文献１】実開平４−１３４１２７
【発明の開示】
【発明が解決しようとする課題】
【０００７】
しかしながら、上記従来技術では、隣接して配置されるフロアパネル同士を電気接続させるためには、コンセントの差し込み作業を行う必要があるため、作業が煩雑であるとの問題があった。
【０００８】
本発明は、このような事情に鑑みてなされたものであり、その目的は、簡易に隣接して配置されるフロアパネル同士を電気接続させることのできるフロアパネルを提供することである。
【課題を解決するための手段】
【０００９】
請求項１に記載の発明は、導体と絶縁体とが内部に配設されるパネル本体を備え、基礎床上に配置されて部屋の床面を構築するフロアパネルであって、前記導体を前記パネル本体の側面に露出させたことを特徴とする。
【００１０】
請求項２に記載の発明は、前記パネル本体は、前記導体と前記絶縁体とを層状に重ね合わせることにより成型されることを特徴とする。
【００１１】
請求項３に記載の発明は、前記パネル本体の導体は、前記床面を形成するように複数のパネル本体を配置させた際に、隣りに配置される他のパネル本体の導体に接触可能な突部を備えることを特徴とする。
【００１２】
請求項４に記載の発明は、前記パネル本体を、上下反転配置可能に形成するとともに、当該パネル本体を上下に反転させて配置することで、当該パネル本体の導体と隣りに配置される他のパネル本体の導体との接触および非接触を切り替えるようにしたことを特徴とする。
【発明の効果】
【００１３】
請求項１に記載の発明によれば、パネル本体の側面に導体を露出させたフロアパネルを用いるため、隣接して配置されるフロアパネル同士を簡易に電気接続させることが可能となる。
【００１４】
請求項２に記載の発明によれば、請求項１に記載の作用・効果に加え、パネル本体は、導体と絶縁体とを層状に重ね合わせることにより成型されているため、側面に導体を露出させたパネル本体を簡易に成型することができる。
【００１５】
請求項３に記載の発明によれば、請求項１または２に記載の作用・効果に加え、パネル本体の導体は、床面を形成するように複数のパネル本体を配置させた際に、隣りに配置される他のパネル本体の導体に接触可能な突部を備えているため、隣接して配置されるパネル本体間の電気的接続を確実に行うことができる。
【００１６】
請求項４に記載の発明によれば、請求項１〜３のうち何れか１項に記載の作用・効果に加え、パネル本体を、上下反転配置可能に形成するとともに、当該パネル本体を上下に反転させて配置することで、当該パネル本体の導体と隣りに配置される他のパネル本体の導体との接触および非接触を切り替えるようにしたため、フロアパネルシステムにおいて導通させたい部分とさせたくない部分で別々のパネル本体を用いる必要がなくなると共に、フロアパネルシステムにおいて伝送路を自由に作り出すことができるという利点がある。
【発明を実施するための最良の形態】
【００１７】
［第１の実施形態］
以下、本発明の第１の実施形態について図面を参照しながら説明する。図１は、本発明を適用したフロアパネルシステムを概略的に示す斜視図である。
【００１８】
まず、フロアパネルシステム１の概要を説明する。図１に示すように、フロアパネルシステム１は、基礎床２上に配置される複数の支柱３と、これらの支柱３を介して基礎床２上に碁盤の目状に敷設される矩形状の複数のフロアパネル４と、を備えている。フロアパネル４は、その４隅が支柱３によって支持されるようになっており、隣合うフロアパネル４の隣合う隅同士は、同一の支柱３によって支持される。このフロアパネルシステム１と基礎床２とによって、フロアパネル４と基礎床２との間に空間５を有する二重床が形成される。
【００１９】
フロアパネル４には、図２、図３に示すように、伝送物を伝送する伝送媒体である伝送線６（導体）が設けられている。隣合うフロアパネル４の伝送線６同士は、当該伝送線６から突設された突部１７を介して接続され、これらの伝送線６及び突部１７等によって、フロアパネルシステム１内に伝送路が形成される。この伝送路には、伝送物管理装置８やアウトレット９が接続可能となっており、アウトレット９に接続された電気機器（図示せず）と伝送物管理装置８とが伝送路を介して接続されるようになっている。
【００２０】
フロアパネルシステム１が伝送路によって伝送する伝送物は、電力と情報信号との少なくとも一方である。つまり、伝送物は、電力のみ、情報信号のみ、又は、電力と情報信号との両方である。フロアパネルシステム１は、電力を伝送する場合には、電力供給システムとして機能し、情報信号を伝送する場合には、情報伝送システムとして機能し、電力と情報信号との両方を伝送する場合には、電力・情報複合システムとして機能する。
【００２１】
電力は、交流又は直流であり、情報信号は、アナログ信号やデジタル信号である。情報信号は、具体的には、ＬＡＮ用信号、ｘＤＳＬ用信号、テレビジョン受像機用信号、電話機用信号、電気機器用制御信号等であり、これらの信号は電気信号又は光信号によって構成される。情報信号は、電力と別体又は一体に伝送され、情報信号が電力と一体に伝送される場合には、情報信号が重畳された交流や直流が用いられる。
【００２２】
伝送物管理装置８は、電力を供給可能な電源装置、情報を送受信可能なサーバ、又は、それら電源装置及びサーバの両方の機能を有する複合装置等である。なお、図１には、伝送物管理装置８として電源装置を例示してある。
【００２３】
伝送線６は、伝送物が電力である場合には、電力を伝送可能な電源線が用いられ、伝送物が情報信号である場合には、情報信号を伝送可能なメタル線や光通信線等の情報通信線が用いられる。また、伝送物が電力と情報信号との両方である場合には、伝送線６は、電源線と情報通信線との２系統で構成されるか、又は、電源線だけの１系統で構成される。伝送線６が電源線だけの１系統で構成される場合には、この電源線によって、情報信号が重畳された交流や直流が伝送される。
【００２４】
アウトレット９は、伝送物が電力である場合には、交流用コンセントや、直流用コンセント、特定の電気機器用の専用端子等の電力用アウトレットが用いられる。なお、図１には、アウトレット９として交流用コンセントを例示してある。交流用コンセントや直流用コンセントには、電源用フロアコンセントやテーブルタップ、各種電気機器が接続可能である。電源用フロアコンセント及びテーブルタップは、伝送される電力に応じて、交流用、直流用又は交流・直流両用のいずれかが用いられる。
【００２５】
また、アウトレット９は、伝送物が情報信号である場合には、情報コンセントや、特定の電気機器用の専用端子等の情報用アウトレットが用いられる。情報コンセントは、具体的には、ＬＡＮ用コンセントや、テレビジョン受像機用コンセント、電話機用コンセント、光コネクタ、複合コンセント等である。複合コンセントは、ＬＡＮ用コンセントや、テレビジョン受像機用コンセント、電話機用コンセント、光コネクタ等の種類が異なる２つ以上のコネクタを一体に備えるコンセントである。情報用アウトレットには、情報用フロアコンセントやテーブルタップ、無線通信端末、ＬＡＮ機器、コンピュータ、テレビジョン受像機、電話機等の各種電気機器が接続可能である。
【００２６】
また、アウトレット９は、伝送物が電力と情報信号との両方の場合には、伝送線６の種類に応じて、上述した電力用アウトレット及び情報用アウトレットの両方や、電力用アウトレット及び情報用アウトレットを一体化した複合アウトレット、特定の電気機器用の専用端子が用いられる。複合アウトレットには、電源・情報複合フロアコンセントやテーブルタップ、無線通信端末、ＬＡＮ機器、コンピュータ、テレビジョン受像機、電話機等の各種電気機器が接続可能である。
【００２７】
次に、本実施形態の特徴部分であるフロアパネル４について図２〜図４を参照して詳しく説明する。
【００２８】
本実施形態のフロアパネル４は、上述したように内部に伝送線６が配設されるもので、このフロアパネル４を基礎床２上に配置された支柱３に敷設することで、同時に隣接して配置されるフロアパネル４同士を電気的に接続させることができる点に最大の特徴を有するものである。
【００２９】
具体的には、フロアパネル４は、内部に伝送線６としての導体と絶縁体１５とが配設される短形板状のパネル本体２０を備えている。このパネル本体２０は、フロアパネル４の骨格部材を成すものである。そして、本実施形態では、このパネル本体２０を前記した導体と絶縁体１５とを層状に重ね合わせることにより成型している。
【００３０】
すなわち、図２に示すように、パネル本体２０は、板状に形成される略四角形状の絶縁体１５と、同じく板状で略四角形状の導体とを積層することにより形成され、これによりパネル本体２０のすべての側面１３から導体を露出させるようにしている。
【００３１】
また、本実施形態では、積層される絶縁体１５、１５同士の間に導体を挟み込むように配置させている。
【００３２】
そして、図３に示すように、パネル本体２０の側面１３に露出した導体からは、隣りに配置されるパネル本体２０と導通を図る突部１７が突設されている。この突部１７は、部屋の床面を形成するように複数のパネル本体２０を配置させた際に、隣りに配置されるパネル本体２０の導体に接触可能となるように形成されている。
【００３３】
本実施形態では、このようにパネル本体２０の導体から突設された突部１７を隣りに配置される他のパネル本体２０の導体に接触させることで、これらパネル本体２０同士の電気的接続を可能としている。なお、この突部１７は、パネル本体２０の４辺の側面１３にいくつ設けてもよく、フロアパネルシステム１の伝送路によって種々の変更が可能である。
【００３４】
また、本実施形態のパネル本体２０は、上下反転配置可能に形成されていて、図４に示すように、パネル本体２０を上下に反転させて配置させた際に、突部１７が隣りに配置される他のパネル本体２０の絶縁体１５に接触されるようになっている。
【００３５】
すなわち、本実施形態では、このようにパネル本体２０を上下反転配置させた際に、突部１７が隣りのパネル本体２０の絶縁体１５に接触させるようにすることで、当該パネル本体２０の導体と隣りに配置される他のパネル本体２０の導体との接触および非接触の切り替えができるようにしている。
【００３６】
そして、図１に示すように、このようなパネル本体２０を基礎床２上に敷設し、パネル本体２０の上から最後に図示せぬカバー部材としてのカーペット材を載せることで、部屋の床面が構築される。
【００３７】
なお、本実施形態では、パネル本体２０を構成する絶縁体１５としてモルタル樹脂により成型された板状の絶縁体１５を用いている。なお、本実施形態では、絶縁体１５の材料として上記樹脂（モルタルと樹脂の混合物）を利用したが、これに限定されず、例えば、ポリエチレンやポリプロピレン等のプラスチック成形材料である合成樹脂、焼結体であるセラミックス、鉱物質であるアスファルト、カーボンを含まないカーボンレスのゴム等を用いてもよい。また、パネル本体２０を構成する導体としては、例えば、銅、鉄、ステンレススチールなどの金属や導電性樹脂等を用いてもよい。
【００３８】
次に、本実施形態のフロアパネルシステム１の作用効果について説明する。
【００３９】
本実施形態のフロアパネルシステム１では、上述したように、パネル本体２０の側面１３に導体を露出させたフロアパネル４を用いている。したがって、従来のごとく、隣接して配置されるフロアパネル４同士を電気接続させる際に、コンセントの差し込み作業を行う必要がなく、簡易に電気接続させることが可能となる。
【００４０】
また、本実施形態では、パネル本体２０は、導体と絶縁体１５とを層状に重ね合わせることにより成型されているため、側面１３に導体を露出させたパネル本体２０を簡易に成型することができる。
【００４１】
また、本実施形態では、パネル本体２０の導体は、床面を形成するように複数のパネル本体２０を配置させた際に、隣りに配置される他のパネル本体２０の導体に接触可能な突部１７を備えているため、隣接して配置されるパネル本体２０間の電気的接続を確実に行うことができる。
【００４２】
また、本実施形態では、パネル本体２０を、上下反転配置可能に形成するとともに、当該パネル本体２０を上下に反転させて配置することで、当該パネル本体２０の導体と隣りに配置される他のパネル本体２０の導体との接触および非接触を切り替えるようにしたため、フロアパネルシステム１において導通させたい部分とさせたくない部分で別々のパネル本体を用いる必要がなくなると共に、フロアパネルシステム１において伝送路を自由に作り出すことができるという利点がある。
【００４３】
また、本実施形態では、フロアパネル４のパネル本体２０内に伝送線６（導体）を設けることで、フロアパネル４と基礎床２との間の空間５に配索する伝送線を少なくしたり無くすことができる。したがって、フロアパネル４のパネル本体２０内に伝送線６を設けずにフロアパネル４と基礎床２との間の空間５にのみ伝送線を配索する場合に比べて、フロアパネル４と基礎床２との間の空間５の高さを低くすることができ、フロアパネルシステム１の床面を低くすることができる。よって、室内空間の高さを高くして室内を低くすることができる。
【００４４】
また、フロアパネル４に伝送線６を一体に設けることによって、フロアパネル４に電気機器１０を内蔵してその電気機器１０を伝送線６に接続したり、フロアパネル４外の電気機器（図示せず）を伝送線６に接続（以下、外部接続ともいう）することができ、これにより、そのフロアパネル４内外の電気機器１０の遠隔制御や使用をすることができる。このような構成の例を以下に説明する。
【００４５】
例えば、フロアパネル４に内蔵又は外部接続する電気機器１０として位置検出センサを採用することで、人の位置を検出することが可能となる。
【００４６】
また、フロアパネル４に内蔵又は外部接続する電気機器１０として空調機器を採用することで、温度や湿度などの室内空気環境を個別制御することが可能となる。
【００４７】
また、フロアパネル４に内蔵又は外部接続する電気機器１０として照明器具を採用することで、室内照明を制御することが可能となる。
【００４８】
また、フロアパネル４に内蔵又は外部接続する電気機器１０として電力量センサを採用することで、フロアパネルシステム１内の電力量や電力分配を制御することが可能となる。
【００４９】
また、フロアパネル４に内蔵又は外部接続する電気機器１０として物体の有無を検出可能な荷重センサを採用することで、有形資産の位置を検出して管理することが可能となる。
【００５０】
また、フロアパネル４に内蔵又は外部接続する電気機器１０として、人を検出可能な人感センサを採用することで、不審者の存在（危険）を労働者に通知することが可能となる。この場合、例えば、フロアパネルシステム１を廊下に適用して、残業中の労働者に不審者が廊下にいるなどの危険を通知することが可能となる。
【００５１】
また、フロアパネル４に内蔵又は外部接続する電気機器１０として圧電素子を採用することで、電力を生み出してその電力を他の電気機器に供給することが可能となる。
【００５２】
［第２の実施形態］
次に、本発明の第２の実施形態について図面を参照して説明する。図５は、本実施形態にかかるフロアパネルシステムを概略的に示す斜視図である。本実施形態のフロアパネルシステム１０１の基本的な構造は、第１の実施形態のフロアパネルシステム１と同じである。よって、第１の実施形態との相違点を中心に説明し、第１の実施形態と同じ部分には同一符号を付し重複する説明は省略する。
【００５３】
図５に示すように、本実施形態のフロアパネルシステム１０１は、フロアパネル１０４及び伝送路１０７が、第１の実施形態のフロアパネルシステム１に対して異なる。
【００５４】
具体的には、本実施形態では、伝送線６がフロアパネル１０４の対辺の中央部同士を結ぶように設けられており、全体で十字状を成している。隣合うフロアパネル１０４の伝送線６同士は、当該伝送線６から突設された突部（図示せぬ）を介して接続され、これらの伝送線６及び突部等によって、フロアパネルシステム１０１内に伝送路１０７が形成される。伝送路１０７には、第１の実施形態と同様に、伝送物管理装置８やアウトレット９が接続可能となっており、アウトレット９に接続された電気機器（図示せず）と伝送物管理装置８とが伝送路７を介して接続されるようになっている。
【００５５】
本実施形態のフロアパネル１０４は、上記第１実施形態と同様に、骨格部材を成す内部に伝送線６としての導体と絶縁体１５とが配設された短形板状のパネル本体４０を備えている。
【００５６】
そして、本実施形態では、図６に示すように、このパネル本体４０の内部に配設される導体が長板状に形成されていて、この導体がパネル本体４０の四辺の側面１３それぞれに部分的に露出するようにして十字状に配設されている。
【００５７】
パネル本体４０の側面１３に露出した導体からは、上記第１実施形態と同様に、隣りに配置される他のパネル本体４０の導体に接触可能な突部（図示せぬ）が突設されていて、この突部を介してパネル本体４０同士の電気的接続が可能となる。
【００５８】
また、本実施形態のパネル本体４０も上下反転配置可能に形成されていて、パネル本体４０を上下に反転させて配置させた際に、導体から突設された突部が、隣りに配置される他のパネル本体４０の絶縁体１５に接触されるようになっている。
【００５９】
本実施形態のパネル本体４０は、例えば、パネル本体４０を成型する金型内に前記した導体を十字状に配設して、当該導体を覆うように絶縁体１５と成る絶縁樹脂を充填することによって成型されている。なお、絶縁体１５の材料は、上記第１実施形態と同様であると共に、本実施形態も上記第１実施形態と同様の導体を用いている。
【００６０】
以上のように、本実施形態のフロアパネルシステム１０１では、上記第１実施形態と同様に、パネル本体４０の側面１３に導体を露出させたフロアパネル１０４を用いている。したがって、隣接して配置されるフロアパネル１０４同士を簡易に電気接続させることが可能となる。
【００６１】
そして、フロアパネル１０４のパネル本体４０内に伝送線６（導体）を設けることによって、第１実施形態と同様に、フロアパネル１０４と基礎床２との間の空間５に配索する伝送線を少なくしたり無くすことができる。したがって、フロアパネル１０４のパネル本体４０内に伝送線６を設けずにフロアパネル１０４と基礎床２との間の空間５にだけ伝送線を配索する場合に比べて、フロアパネル１０４と基礎床２との間の空間５の高さを低くすることができ、フロアパネルシステム１０１の床面を低くすることができる。よって、室内空間の高さを高くして室内を低くすることができる。
【００６２】
また、フロアパネル１０４に伝送線６を一体に設けることによって、第１の実施形態と同様に、フロアパネル１０４に電気機器１０を内蔵してその電気機器１０を伝送線６に接続したり、フロアパネル１０４外の電気機器（図示せず）を伝送線６に接続することができ、これにより、そのフロアパネル１０４に内外の電気機器１０の遠隔制御や使用をすることができる。このような構成の例は、第１の実施形態と同じであるため、説明は省略する。
【００６３】
ここで、フロアパネル１０４の変形例を説明する。以下の各変形例は、フロアパネル１０４に対して、伝送線６の配置が異なり、その他の構成は同じである。
【００６４】
図７は、本実施形態にかかるフロアパネルの第１の変形例を概略的に示す斜視図である。図７に示す第１の変形例のフロアパネル１０４Ａでは、フロアパネル１０４Ａの一組の対辺の中央部同士を結ぶように伝送線６が設けられており、伝送線６は直線状を成している。
【００６５】
図８は、本実施形態にかかるフロアパネルの第２の変形例を概略的に示す斜視図である。図８に示す第２の変形例のフロアパネル１０４Ｂでは、フロアパネル１０４Ｂの連続する３辺の中間部分を接続するように伝送線６が設けられており、伝送線６が全体で略Ｖ字状を成している。
【００６６】
図９は、本実施形態にかかるフロアパネルの第３の変形例を概略的に示す斜視図である。図９に示す第３の変形例のフロアパネル１０４Ｃでは、フロアパネル１０４Ｃの一組の対辺同士を結ぶように一対の伝送線６が相互に平行に設けられている。
【００６７】
図１０は、本実施形態にかかるフロアパネルの第４の変形例を概略的に示す斜視図である。図１０に示す第４の変形例のフロアパネル１０４Ｄでは、フロアパネル１０４Ｄの隣合う辺同士を接続するように伝送線６が設けられており、これらの伝送線６は相互に離間して配置されている。
【００６８】
これらの各種のフロアパネル１０４，１０４Ａ，１０４Ｂ，１０４Ｃ，１０４Ｄを組み合わせることにより、フロアパネルシステム１０１の伝送路１０７の経路を多種多様に構築することができる。
【００６９】
［第３の実施形態］
次に、本発明の第３の実施形態について図面を参照して説明する。図１１は、本実施形態にかかるフロアパネルシステムを概略的に示す斜視図である。なお、第１及び第２の実施形態と同じ部分には同一符号を付して重複する説明は省略する。
【００７０】
図１１に示すように、本実施形態のフロアパネルシステム２０１は、フロアパネル２０４及び伝送路２０７が、上記実施形態のフロアパネルシステム１、１０１に対して異なる。
【００７１】
具体的には、本実施形態では、伝送線６がフロアパネル２０４の中心部を挟んで相互に対向するフロアパネル２０４の隅同士を結ぶように配置されており、全体でＸ字状を成している。隣合うフロアパネル２０４の伝送線６同士は、支柱３の導体部（図示せぬ）を介して接続され、これらの伝送線６及び導体部等によって、フロアパネルシステム２０１内に伝送路２０７が形成される。伝送路２０７には、上記実施形態と同様に、伝送物管理装置８やアウトレット９が接続可能となっており、アウトレット９に接続された電気機器（図示せず）と伝送物管理装置８とが伝送路７を介して接続されるようになっている。
【００７２】
本実施形態のフロアパネル２０４は、上記実施形態と同様に、骨格部材を成す内部に伝送線６としての導体と絶縁体１５とが配設された短形板状のパネル本体６０を備えている。
【００７３】
そして、本実施形態では、図１２に示すように、このパネル本体６０の内部に配設される導体が長板状に形成されていて、当該導体がパネル本体６０の対角線を結ぶようにして角部１８のそれぞれの側面１３から露出するようにＸ字状に配設されている。そして、パネル本体６０の角部１８の側面１３は、長板状に形成された導体の端部が露出できるように平坦面とされている。
【００７４】
パネル本体６０の角部１８の側面１３に露出した導体からは、支柱３の導体部に接触可能な上記実施形態と同様の突部（図示せぬ）が突設されていて、この突部を支柱３の導体部に接続させることで、当該支柱３を介して隣接して配置されるパネル本体６０同士の電気的接続が可能となっている。
【００７５】
また、本実施形態のパネル本体６０も上下反転配置可能に形成されていて、パネル本体６０を上下に反転させて配置させた際に、導体から突設された突部が、支柱３の導体部ではない部位、すなわち、導通されない箇所に接触されるようになっている。
【００７６】
本実施形態のパネル本体６０は、例えば、パネル本体６０を成型する金型内に前記した導体をＸ字状に配設して、当該導体を覆うように絶縁体１５と成る絶縁樹脂を充填することによって成型されている。なお、絶縁体１５の材料は、上記実施形態と同様であると共に、本実施形態も上記実施形態と同様の導体を用いている。
【００７７】
以上のように、本実施形態のフロアパネルシステム２０１では、上記実施形態と同様に、パネル本体６０の側面１３に導体を露出させたフロアパネル２０４を用いている。したがって、隣接して配置されるフロアパネル２０４同士を簡易に電気接続させることが可能となる。
【００７８】
そして、フロアパネル２０４のパネル本体６０内に伝送線６（導体）を設けることによって、第１実施形態と同様に、フロアパネル２０４と基礎床２との間の空間５に配索する伝送線を少なくしたり無くすことができる。したがって、フロアパネル２０４のパネル本体６０内に伝送線６を設けずにフロアパネル２０４と基礎床２との間の空間５にだけ伝送線を配索する場合に比べて、フロアパネル２０４と基礎床２との間の空間５の高さを低くすることができ、フロアパネルシステム２０１の床面を低くすることができる。よって、室内空間の高さを高くして室内を低くすることができる。
【００７９】
また、フロアパネル２０４に伝送線６を一体に設けることによって、第１の実施形態と同様に、フロアパネル２０４に電気機器１０を内蔵してその電気機器１０を伝送線６に接続したり、フロアパネル２０４外の電気機器（図示せず）を伝送線６に接続することができ、これにより、そのフロアパネル２０４に内外の電気機器１０の遠隔制御や使用をすることができる。このような構成の例は、上記実施形態と同じであるため、説明は省略する。
【００８０】
ここで、フロアパネル２０４の変形例を説明する。以下の各変形例は、フロアパネル２０４に対して、伝送線６の配置が異なり、その他の構成は同じである。
【００８１】
図１３は、本実施形態にかかるフロアパネルの第１の変形例を概略的に示す斜視図である。図１３に示す第１の変形例のフロアパネル２０４Ａでは、その外周の４辺の各縁部に、それらの辺に沿って伝送線６が設けられており、これらの伝送線６は全体で略矩形状を成している。
【００８２】
図１４は、本実施形態にかかるフロアパネルの第２の変形例を概略的に示す斜視図である。図１４に示す第２の変形例のフロアパネル２０４Ｂでは、その外周の隣合う２辺の各縁部に、それらの辺に沿って伝送線６が設けられており、これらの伝送線６が全体で略Ｌ字状を成している。
【００８３】
図１５は、本実施形態にかかるフロアパネルの第３の変形例を概略的に示す斜視図である。図１５に示す第３の変形例のフロアパネル２０４Ｃでは、その外周の一つの辺の縁部に、その辺に沿って伝送線６が設けられており、伝送線６は直線状となっている。
【００８４】
これらの各種のフロアパネル２０４，２０４Ａ，２０４Ｂ，２０４Ｃを組み合わせることにより、フロアパネルシステム２０１の伝送路２０７の経路を多種多様に構築することができる。
【００８５】
［第４の実施形態］
次に、本発明の第４の実施形態について図面を参照して説明する。図１６は、本実施形態にかかるフロアパネルシステムを概略的に示す斜視図、図１７は、本実施形態にかかるフロアパネルを概略的に示す斜視図である。なお、第１〜第３の実施形態と同じ部分には同一符号を付して重複する説明は省略する。
【００８６】
図１６に示すように、本実施形態のフロアパネルシステム３０１は、置き敷きタイプの矩形のフロアパネル３０４を複数備えており、これらのフロアパネル３０４が基礎床２上に碁盤の目状に直接敷設される。このフロアパネルシステム３０１と基礎床２とによって、二重床が形成される。なお、図１６では、フロアパネル３０４同士の境界部分を太線で示してある。
【００８７】
図１６及び図１７に示すように、フロアパネル３０４は、短形板状のパネル本体３１０を骨格部材として備えている。このパネル本体３１０には、上面開口の配線用溝３１１が十字状に形成されており、この配線用溝３１１の上面は、着脱可能な蓋３１２で閉塞される。隣合うフロアパネル３０４同士の配線用溝３１１は、相互に連通されており、かかる複数の配線用溝３１１によって、フロアパネルシステム３０１に格子状の溝３１３が形成される。この溝には伝送線が配設可能となっている。
【００８８】
そして、蓋３１２には、伝送線６としての導体が配線用溝３１１の形状に合わせて十字状をなすように設けられ、パネル本体３１０の側面１３に露出させるようにしている。そして、隣合うフロアパネル３０４における蓋３１２の伝送線６同士は、相互に接続され、これらの蓋３１２内の伝送線６等によって、フロアパネルシステム３０１内に格子状の伝送路３０７が形成される。この伝送路３０７には、第１の実施形態と同様に、伝送物管理装置８やアウトレット９が接続可能となっており、アウトレット９に接続された電気機器（図示せず）と伝送物管理装置８とが伝送路３０７を介して接続されるようになっている。フロアパネルシステム３０１が伝送路３０７によって伝送する伝送物は、上記実施形態と同じである。
【００８９】
なお、本実施形態では、導体の配設される蓋３１２が絶縁体で構成されている。そして、絶縁体の材料は、上記実施形態と同様の材料を用いており、本実施形態も上記実施形態と同様の導体を用いている。
【００９０】
以上のように、本実施形態のフロアパネルシステム３０１では、上記実施形態と同様に、パネル本体３１０の側面１３に導体を露出させたフロアパネル３０４を用いている。したがって、隣接して配置されるフロアパネル３０４同士を簡易に電気接続させることが可能となる。
【００９１】
そして、フロアパネル３０４の蓋３１２内に伝送線６が設けられていることにより、フロアパネル３０４を基礎床２に直接敷設しても、フロアパネルシステム３０１内に伝送路３０７が形成されるので、フロアパネル３０４の下面と基礎床２との間に配線用の空間を形成する必要がなく、その分、フロアパネルシステム３０１の床面を低くすることができる。よって、室内空間の高さを高くして室内を広くすることができる。なお、このような効果は、例えば、第２の実施形態のフロアパネル１０４を支柱３を介さずに直接基礎床２に敷設することでも得ることができる。また、第１の実施形態のフロアパネル４を支柱３を介さずに直接基礎床２に敷設して、隣合うフロアパネル４の伝送線６同士を接続部材によって接続することによっても、上記と同じ効果を得ることができる。
【００９２】
また、フロアパネル３０４に伝送線６を一体に設けることによって、第１の実施形態と同様に、フロアパネル３０４に電気機器１０を内蔵してその電気機器１０を伝送線６に接続したり、フロアパネル３０４外の電気機器（図示せず）を伝送線６に接続することができ、これにより、そのフロアパネル３０４内外の電気機器１０の遠隔制御や使用をすることができる。このような構成の例は、上記実施形態と同じであるため、説明は省略する。
【００９３】
なお、本発明は、上記実施形態に限ることなく本発明の要旨を逸脱しない範囲で他の実施形態を各種採用することができる。例えば、第１〜第３の実施形態では、フロアパネルとして、パネル本体２０、４０、６０内に伝送線６が設けられたものを説明したが、これに限ることなく、フロアパネルとしては、伝送線６がパネル本体２０、４０、６０の外側に配置されてパネル本体２０、４０、６０に一体に設けられたものであっても良い。例えば、パネル本体２０、４０、６０の下面に沿って伝送線６が設けられても良い。
【００９４】
また、第４の実施形態では、フロアパネルとして、蓋３１２内に伝送線６が設けられたものを説明したが、これに限ることなく、フロアパネルとしては、伝送線６が蓋３１２の外側に配置されて蓋３１２に一体に設けられたものであっても良い。例えば、蓋３１２の下面に沿って伝送線６が設けられても良い。
【図面の簡単な説明】
【００９５】
【図１】本発明の第１の実施形態にかかるフロアパネルシステムを概略的に示す斜視図である。
【図２】本発明の第１の実施形態にかかるフロアパネルの斜視図である。
【図３】本発明の第１の実施形態にかかるフロアパネルのパネル本体を基礎床上に複数配置させた状態を示す斜視図である。
【図４】図３におけるパネル本体を上下に反転させて配置させた状態を示す斜視図である。
【図５】本発明の第２の実施形態にかかるフロアパネルシステムを概略的に示す斜視図である。
【図６】本発明の第２の実施形態にかかるフロアパネルの斜視図である。
【図７】本発明の第２の実施形態にかかるフロアパネルの第１の変形例を示す上面図である。
【図８】本発明の第２の実施形態にかかるフロアパネルの第２の変形例を示す上面図である。
【図９】本発明の第２の実施形態にかかるフロアパネルの第３の変形例を示す上面図である。
【図１０】本発明の第２の実施形態にかかるフロアパネルの第４の変形例を示す上面図である。
【図１１】本発明の第３の実施形態にかかるフロアパネルシステムを概略的に示す斜視図である。
【図１２】本発明の第３の実施形態にかかるフロアパネルの斜視図である。
【図１３】本発明の第３の実施形態にかかるフロアパネルの第１の変形例を示す上面図である。
【図１４】本発明の第３の実施形態にかかるフロアパネルの第２の変形例を示す上面図である。
【図１５】本発明の第３の実施形態にかかるフロアパネルの第３の変形例を示す上面図である。
【図１６】本発明の第４の実施形態にかかるフロアパネルシステムを概略的に示す斜視図である。
【図１７】本発明の第４の実施形態にかかるフロアパネルの斜視図である。
【符号の説明】
【００９６】
２    基礎床
４、１０４、２０４、３０４    フロアパネル
６    伝送線（導体）
１３  側面
１５  絶縁体
２０、４０、６０、３１０  パネル本体
【図１】
2010112089.tif 000003
【図２】
2010112089.tif 000004
【図３】
2010112089.tif 000005
【図４】
2010112089.tif 000006
【図５】
2010112089.tif 000007
【図６】
2010112089.tif 000008
【図７】
2010112089.tif 000009
【図８】
2010112089.tif 000010
【図９】
2010112089.tif 000011
【図１０】
2010112089.tif 000012
【図１１】
2010112089.tif 000013
【図１２】
2010112089.tif 000014
【図１３】
2010112089.tif 000015
【図１４】
2010112089.tif 000016
【図１５】
2010112089.tif 000017
【図１６】
2010112089.tif 000018
【図１７】
2010112089.tif 000019